(57)【要約】      （修正有）【課題】利便性と安全性を両立でき、持ち運びに便利なカッターを提供する。【解決手段】カッター１００は、螺旋状のドリルとドリルの先端に形成されたカッター刃とからなるカッター部１１０と、カッター部を先端から回転させながら出没可能に収納するペン型筐体１２０とを備える。切り裂く対象であるフィルムに対して、まず螺旋状のドリルの部分を挿入することで、穴を開けることができる。その穴を始点にして動かすことで、カッター刃でフィルムを切り裂くことができる。カッター刃を必要最小限の大きさとすることで、切り裂きやすさと安全性を両立させることができる。【選択図】図１
0003197424.tif 000002
【実用新案登録請求の範囲】
【請求項１】
長尺状の金属若しくはプラスチックの先端が刃状若しくは針状に加工され、又は、長尺状の金属若しくはプラスチックの先端に刃若しくは針が取り付けられたカッター部と、
前記カッター部を先端から出没可能に収納する筐体と、
を備えたことを特徴とするカッター。
【請求項２】
前記長尺状の金属若しくはプラスチックは、ドリル、ペン先、キリ、釘又は針金のいずれかであることを特徴とする、請求項１に記載のカッター。
【請求項３】
前記カッター部を回転させながら前記筺体から出没させる回転機構を備えることを特徴とする、請求項１又は２に記載のカッター。
【請求項４】
前記回転機構は、
前記筐体の外部に設けられた操作部の操作により、前記カッター部の出没方向に直線移動する直歯板と、
前記直歯板と噛み合い、前記直歯板の直線運動を回転運動に変換する第１歯車と、
第１歯車とかみ合い、第１歯車の軸と直交する軸周りに回転し、軸心が前記カッター部に連接する第２歯車と、
前記カッター部が前記筐体内に没入する方向に前記直歯板を常時付勢する弾性部材と、
からなることを特徴とする、請求項３に記載のカッター。
【請求項５】
前記カッター部が前記筐体から突出した際に、前記カッター部の先端が１〜５ｍｍ突出することを特徴とする、請求項１〜４のいずれかに記載のカッター。
【考案の詳細な説明】
【技術分野】
【０００１】
本考案は、包装などに用いられる薄いフィルムを容易に切り裂くことができ、持ち運びに便利なカッターに関する。
【背景技術】
【０００２】
近年、石油系のフィルムやシート素材で様々な製品を容易に包装できるようになった（例えば、非特許文献１参照）。このような石油系のフィルムやシート素材（以下、単にフィルムという。）は、例えば野菜などの食品を直接包むほか、製品を紙などで包装した上からさらに包装する場合などにも用いられる。特に最近は、食品衛生、安全性、利便性、環境等の観点から、薄くても丈夫で容易には切り裂けないフィルムが多くなった。そのため、特に低年齢層や高齢者層や女性層などにとって、手でフィルムを切り裂くことが難しく、カッターなどを使用することが多くなった。
【先行技術文献】
【非特許文献】
【０００３】
【非特許文献１】インターネット＜ＵＲＬ：http://ja.wikipedia.org/wiki/%E3%83%95%E3%82%A3%E3%83%AB%E3%83%A0＞
【考案の概要】
【考案が解決しようとする課題】
【０００４】
しかし、一般的なカッターは、フィルムの切り裂きやすさを高めると、使用者の安全性が低下する。一方、使用者の安全性を高めると、フィルムの切り裂きやすさが低下する。このように、カッターは利便性と安全性とがトレードオフの関係であり、このため、安全かつ切り裂きやすい工具が求められていた。また、カッターを持ち運ぶことは危険が伴う。このため、外出先などでフィルムを切り裂く必要が生じた場合に、フィルムを切り裂くことが難しいという問題もあった。
【０００５】
そこで本考案は、このような問題に鑑みてなされたもので、その目的とするところは、利便性と安全性を両立でき、持ち運びに便利なカッターを提供することにある。
【課題を解決するための手段】
【０００６】
上記課題を解決するために、本考案によれば、長尺状の金属若しくはプラスチックの先端が刃状若しくは針状に加工され、又は、長尺状の金属若しくはプラスチックの先端に刃若しくは針が取り付けられたカッター部と、前記カッター部を先端から出没可能に収納する筐体と、を備えたことを特徴とするカッターが提供される。
【０００７】
包装等のフィルムを切り裂くときは、必ずしも切り口をきれいな状態にする必要がない。本考案はこの点に着目し、安全性の高い長尺状の金属若しくはプラスチック（例えば、ドリル、ペン先、キリ、釘又は針金）の先端部に、フィルムを切り裂きやすい刃若しくは針を設けたものである。かかる構成によれば、切り裂く対象であるフィルムに対して、まず刃若しくは針を挿入することで、穴を開けることができる。そして、その穴を始点にして動かすことで、フィルムを切り裂くことができる。このとき、任意の方向に切り裂くことができる。そして、刃若しくは針を必要最小限（１〜５ｍｍ程度）とすることで、切り裂きやすさと安全性を両立させることができる。また、刃を筐体（例えば、ペン型の筐体）に収納することで、持ち運びに便利である。
【０００８】
本考案はさまざまな応用が可能である。例えば、前記カッター部を回転させながら前記筺体から出没させる回転機構を備えるようにしてもよい。カッター部を回転させることにより、切り裂き対象であるフィルムに対して、穴を開けやすい。
【０００９】
前記回転機構は、例えば、前記筐体の外部に設けられた操作部の操作により、前記カッター部の出没方向に直線移動する直歯板と、前記直歯板と噛み合い、前記直歯板の直線運動を回転運動に変換する第１歯車と、第１歯車とかみ合い、第１歯車の軸と直交する軸周りに回転し、軸心が前記カッター部に連接する第２歯車と、前記カッター部が前記筐体内に没入する方向に前記直歯板を常時付勢する弾性部材と、からなるようにしてもよい。カッター部の回転角度は、一回転以上は回転することが好ましく、４８０°以上回転することがさらに好ましい。このような回転機構を採用することにより、簡易な構成で、カッター部の回転角度を大きくすることができる。
【００１０】
前記カッター部が前記筐体から突出した際に、刃先が１〜５ｍｍ突出するようにしてもよい。切り裂きやすさを担保するためには、刃先が１ｍｍ以上突出することが好ましく、また、安全性を担保するためには、刃先が５ｍｍ以下が好ましい。よって、刃がペン型筐体から突出した際に、刃先が１〜５ｍｍ突出するようにすると、最も効果的である。
【考案の効果】
【００１１】
本考案のカッターによれば、利便性と安全性を両立でき、持ち運びに便利である。なお、本考案のその他の効果や応用例については、さらに後述する。
【図面の簡単な説明】
【００１２】
【図１】カッター１００の全体構成を示す斜視図であり、（ａ）はカッター部１１０が後退した状態を示し、（ｂ）はカッター部１１０が突出した状態を示す。
【図２】カッター部１１０の構成を示す図である。
【図３】回転機構１３０の構成を示す図である。
【図４】カッター１００の使用方法を示す図である。
【考案を実施するための形態】
【００１３】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１４】
まず、本実施形態のカッターの説明に先立って、切り裂く対象となる石油系梱包袋のフィルム（以下、単にフィルムという。）について説明する。フィルムは、柔らかくて、軽くて、綺麗、透明、扱いやすいなどの利点で包装に広く利用されている。埃や、害虫、水、有害化学物質等から守られるほか、製品が落下しても、キズが付いたり、破壊されたりしないように守られるので、優れた材料である。薄くても丈夫で長持ちするフィルムが採用されている。
【００１５】
本実施形態では、上記のような薄くても丈夫なフィルムを切り裂くカッターの安全性と利便性を改善したものについて説明する。特に、本実施形態では、通常の文房具のカッターで紙などを切る場合と異なり、切り裂く部分の形状をきれいにする必要がないことを前提としている。
【００１６】
まず、本実施形態にかかるカッター１００の構成について、図１〜図３を参照しながら説明する。カッター１００は、図１〜図３に示したように、カッター部１１０と、カッター部１１０を収容するペン型筐体１２０と、カッター部１１０を回転させながらペン型筐体１２０から出没（進退）させるための回転機構１３０とから主に構成される。以下、カッター１００の各構成要素について順に説明する。
【００１７】
（カッター部１１０）
カッター部１１０は、図１、図２に示したように、螺旋状のドリル１１２と、ドリル１１２の先端に形成されるカッター刃１１２ａとからなる。カッター部１１０の長さは、例えば５ｃｍ程度である。カッター部１１０の材質は、例えば錆びにくいステンレスである。
【００１８】
ドリル１１２は、切り裂き対象であるフィルムに対して、穴を開けることを主な目的とする。ドリル１１２は、フィルムを鋭利に切り裂くことを主な目的としていないため、刃の角度がそれほど鋭角でなく、安全性が比較的高い。仮にドリル１１２を指などで触れても指を怪我しにくい。一方、カッター刃１１２ａは、切り裂き対象であるフィルムを切り裂くことを主目的とする。このため、カッター刃１１２ａの角度は、ある程度鋭角にする必要がある。カッター刃１１２ａの長さは、１〜５ｍｍ程度である。
【００１９】
カッター部１１０は、後述するペン型筐体１２０から出没できるように構成されている。図１（ａ）は、カッター部１１０が後退した状態を示す。カッター部１１０が後退した際には、カッター部１１０はペン型筺体１２０の内部に収納される。また、図１（ｂ）は、カッター部１１０が突出した状態を示す。カッター部１１０が突出した際には、ドリル１１２の先端であるカッター刃１１２ａが１〜５ｍｍ程度突出するようにする。フィルムの切り裂きやすさを担保するためには、刃先が１ｍｍ以上突出することが好ましく、また、安全性を担保するためには、刃先が５ｍｍ以下が好ましい。よって、カッター部１１０がペン型筐体１２０から突出した際に、刃先が１〜５ｍｍ突出すると最も効果的である。
【００２０】
（ペン型筺体１２０）
ペン型筺体１２０は、図１に示したように、上述したカッター部１１０を先端から出没可能に収納する。ペン型筺体１２０の長さは、カッター部１１０を収容できるとともに、持ち運びに適した長さであり、例えば１０〜１５ｃｍ程度とすることができる。ペン型筺体１２０の材質は、例えばプラスチックや金属（ステンレスなど）である。
【００２１】
ペン型筺体１２０の外部には、操作部１２２が設けられている。この操作部１２２を操作することにより、上述したようにカッター部１１０をペン型筐体１２０から出没させることができる。より詳細には、以下に説明するように、操作部１２２を操作することにより、後述する回転機構１３０がカッター部１１０に作用し、カッター部１１０を回転させながらペン型筐体１２０から出没させることができる。
【００２２】
ペン型筐体１２０の先端部には、カッター刃１１２ａの向きが分かりやすいように、印などを形成してもよい。また、カッター刃１１２ａの向きにあわせてペン型筐体１２０の先端部や全体の形状を工夫してもよい。
【００２３】
（回転機構１３０）
回転機構１３０は、図１のペン型筐体１２０の内部において、図２のカッター部１１０の先端に連結するように配置されている。回転機構１３０は、ペン型筺体１２０の操作部１２２を操作することにより、カッター部１１０に作用して、カッター部１１０を回転させながらペン型筐体１２０から出没させることができる。以下に、回転機構１３０の構造について、図３を参照しながら説明する。なお図３は、説明の便宜のため誇張して描かれており、実物の大きさとは異なることがある。
【００２４】
回転機構１３０は、図３に示したように、ペン型筐体１２０の操作部１２２と、カッター部１１０との間に配置されており、直歯板１３２と、第１歯車１３４と、第２歯車１３６と、弾性部材１３８とからなる。
【００２５】
直歯板１３２は、ペン型筐体１２０の外部に設けられた操作部１２２の操作により、カッター部１１０の出没方向に直線移動する。第１歯車１３４は、直歯板１３２と噛み合い、直歯板１３２の直線運動を回転運動に変換する。この直歯板１３２と第１歯車１３４の部分の機構は、回転力と直線の動きとの変換機構であり、ラック−ピニオン機構とも称される。第２歯車１３６は、第１歯車１３４と噛み合い、第１歯車１３４の軸と直交する軸周りに回転し、軸心がカッター部１１０に連接する。弾性部材１３８は、例えばバネであり、カッター部１１０がペン型筐体１２０内に没入する方向に直歯板１３２を常時付勢する。
【００２６】
かかる構成の回転機構１３０によれば、簡易な構成で、カッター部１１０を回転角度を大きくすることができる。回転機構１３０によるカッター部１１０の回転角度は、例えば、カッター部１１０が一回転以上（３６０°以上）することが好ましく、４８０°以上回転することがさらに好ましい。上記のような回転機構１３０を採用することにより、簡易な構成で、カッター部１１０の回転角度を大きくすることができる。
【００２７】
なお、回転機構の構成は、図３に示した回転機構１３０の構成に限定されず、任意の構成でよい。また、操作部１２２を押している間だけカッター部１１０が突出するようにしてもよく、あるいは、操作部１２２を操作するごとに、カッター部１１０が突出した状態又は後退した状態でロックされるようにしてもよい。
【００２８】
以上、本実施形態のカッター１００の構成について説明した。次に、カッター１００の使い方について説明する。図４は、カッター１００を使うときの状態を示す図である。図４（ａ）は、カッター１００を右手の全体で握り、親指で操作部１２２を操作している状態を示す。図４（ｂ）は、カッター１００を主に親指、人差し指及び中指で支え、操作部１２２を手のひらで支えている状態を示す。
【００２９】
まず、切り裂き対象であるフィルムに対して、カッター１００を押し当てる。そして、操作部１２２を操作することにより、カッター部１１０が回転しながらフィルムに向けて突出する。これにより、カッター部１１０のドリル１１２の作用によって、フィルムに穴が開く。
【００３０】
そして、カッター１００を切り裂きたい方向に移動させる。この際、フィルムの穴を起点としてカッター１００の方向を調整することにより、任意の方向にフィルムを切り裂くことができる。カッター部１１０のカッター刃１１２ａの作用によって、フィルムが所望の方向に切り裂かれる。
【００３１】
この際、切り裂かれたフィルムの切り裂き部分は、きれいな形状にはなるとは限らない。しかし、本実施形態では、包装等に用いられるフィルムを想定しており、切り裂き部分をきれいにすることよりも、安全かつ容易に切り裂くことを目的としている。本実施形態のカッター１００は、この目的を効果的に達成することができる。
【００３２】
（本実施形態の効果）
以上説明したように、本実施形態のカッター１００によれば、カッター刃１１２ａを必要最小限（１〜５ｍｍ程度）とすることで、切り裂きやすさと安全性を両立させることができる。また、カッター部１１０をペン型筐体１２０に収納することで、持ち運びに便利である。
【００３３】
また、ドリル１１２を回転させることにより、切り裂き対象であるフィルムに対して、穴を開けやすい。また、回転機構１３０を採用することにより、簡易な構成で、ドリル１１２の回転角度を大きくすることができる。
【００３４】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００３５】
例えば、上記実施形態においては、カッター部１１０としてドリル１１２とカッター刃１１２ａとからなる構成について説明したが、本考案はこれに限定されない。ドリル１１２に代えて、ペン先、キリ、針、針金など任意の長尺状のものを採用することができる。その材質も金属のほかプラスチックであってもよい。
【００３６】
また、上記実施形態では、カッター部１１０の構成として、ドリル１１２の先端をカッター刃１１２ａに加工するものについて説明したが、本考案はこれに限定されない。ドリル１１２の先端をカッター刃以外の刃状に加工したり、針状に加工したりしてもよい。また、先端を加工する代わりに、先端に刃や針を取り付けるようにしてもよい。
【００３７】
また、上記実施形態においては、カッター部１１０を先端から出没可能に収納するものとしてペン型筐体１２０を説明したが、本考案はこれに限定されず、任意の形態の筐体を採用することができる。
【００３８】
また、上記実施形態においては、回転機構１３０を設ける構成について説明したが、本考案はこれに限定されない。回転機構１３０は設けなくてもよい。また、回転機構を設ける場合でも、カッター部１１０を回転させながらペン型筺体１２０から出没させることができる構成であれば、必ずしも上記回転機構１３０の構成に限定されない。また、口紅のように、筺体を回すことによってカッター部１１０が出没するような構成でもよい。
【００３９】
また、上記実施形態で例に挙げた数値、例えば、カッター部１１０の長さやペン型筺体１２０の長さ、カッター部１１０がペン型筐体１２０から突出した際の刃先の突出する長さなどは、同様の効果を有すれば、任意の値に変更することが可能である。
【産業上の利用可能性】
【００４０】
本考案は、包装などに用いられる薄いフィルムを容易に切り裂くことができ、持ち運びに便利なカッターに利用可能である。
【符号の説明】
【００４１】
１００    カッター
１１０    カッター部
１１２    ドリル
１１２ａ  カッター刃
１２０    ペン型筐体
１２２    操作部
１３０    回転機構
１３２    直歯板
１３４    第１歯車
１３６    第２歯車
１３８    弾性部材
【図１】
0003197424.tif 000003
【図２】
0003197424.tif 000004
【図３】
0003197424.tif 000005
【図４】
0003197424.tif 000006